(57)【要約】【課題】  オペレータの負担を軽減するとともに精度の高い制御棒操作シーケンスを得ることができる制御棒操作シーケンス作成装置を提供することである。【解決手段】  マンマシンインターフェイス機能を持つ入出力装置１で編集作成された制御棒操作シーケンスを作成データ記憶部１２に保存し、保存処理手段６１は制御棒価値規制条件を満たす場合に制御棒操作シーケンスデータとしてデータ記憶装置１３に保存する。制御棒グループ表示手段１１は、制御棒操作シーケンスを編集する際に制御棒操作手順３ａと制御棒グループ３ｂとを入出力装置１に同時に表示する。これにより、選択中の制御棒操作手順における制御棒グループの表示の確認が容易となり、運転員の負荷を軽減することができる。【選択図】  図１
2005233713.tif 000002
【特許請求の範囲】
【請求項１】
マンマシンインターフェイス機能を持ち編集する制御棒操作シーケンスを選択し表示する入出力装置と、前記入出力装置との対話で前記制御棒操作シーケンスを編集作成するとともに作成した制御棒操作シーケンスを制御棒操作手順データと制御棒グループデータとに区分して作成データ記憶部に保存する制御棒操作シーケンス編集手段と、前記作成データ記憶部に保存された制御棒操作シーケンスの制御棒操作手順データが制御棒価値規制条件を満たすときは制御棒操作シーケンスデータとしてデータ記憶装置に保存する保存処理手段と、前記入出力装置から制御棒制御装置へのダウンロード要求があったとき指定された制御棒操作シーケンスデータをダウンロード許可状態にし前記制御棒制御装置からのダウンロード要求指令により当該制御棒操作シーケンスデータを前記制御棒制御装置にダウンロードするダウンロード許可処理手段と、前記入出力装置からの印刷指令により編集中の制御棒操作シーケンスの制御棒操作手順データを帳票出力する帳票出力手段と、前記制御棒操作シーケンスを編集する際に制御棒操作手順データとともに選択中の制御棒操作手順データにおける制御棒グループデータを表示する制御棒グループ表示手段とを備えたことを特徴とする制御棒操作シーケンス作成装置。
【請求項２】
マンマシンインターフェイス機能を持ち編集する制御棒操作シーケンスを選択し表示する入出力装置と、前記入出力装置との対話で前記制御棒操作シーケンスを編集作成するとともに作成した制御棒操作シーケンスを制御棒操作手順データと制御棒グループデータとに区分して作成データ記憶部に保存する制御棒操作シーケンス編集手段と、前記作成データ記憶部に保存された制御棒操作シーケンスの制御棒操作手順データが制御棒価値規制条件を満たすときは制御棒操作シーケンスデータとしてデータ記憶装置に保存する保存処理手段と、前記入出力装置から制御棒制御装置へのダウンロード要求があったとき指定された制御棒操作シーケンスデータをダウンロード許可状態にし前記制御棒制御装置からのダウンロード要求指令により当該制御棒操作シーケンスデータを前記制御棒制御装置にダウンロードするダウンロード許可処理手段と、前記入出力装置からの印刷指令により編集中の制御棒操作シーケンスの制御棒操作手順データを帳票出力する帳票出力手段と、前記制御棒操作シーケンスを編集する際に制御棒操作手順データとともに選択中の制御棒操作手順データにおける制御棒位置を表示する制御棒位置表示手段とを備えたことを特徴とする制御棒操作シーケンス作成装置。
【請求項３】
マンマシンインターフェイス機能を持ち編集する制御棒操作シーケンスを選択し表示する入出力装置と、前記入出力装置との対話で前記制御棒操作シーケンスを編集作成するとともに作成した制御棒操作シーケンスを制御棒操作手順データと制御棒グループデータとに区分して作成データ記憶部に保存する制御棒操作シーケンス編集手段と、前記作成データ記憶部に保存された制御棒操作シーケンスの制御棒操作手順データが制御棒価値規制条件を満たすときは制御棒操作シーケンスデータとしてデータ記憶装置に保存する保存処理手段と、前記入出力装置から制御棒制御装置へのダウンロード要求があったとき指定された制御棒操作シーケンスデータをダウンロード許可状態にし前記制御棒制御装置からのダウンロード要求指令により当該制御棒操作シーケンスデータを前記制御棒制御装置にダウンロードするダウンロード許可処理手段と、前記入出力装置からの印刷指令により編集中の制御棒操作シーケンスの制御棒操作手順データを帳票出力する帳票出力手段と、前記制御棒操作シーケンスを編集する際に制御棒操作手順データとともに選択中の制御棒操作手順データにおける制御棒グループデータを表示する制御棒グループ表示手段と、前記制御棒操作シーケンスを編集する際に制御棒操作手順データとともに選択中の制御棒操作手順データにおける制御棒位置を表示する制御棒位置表示手段と、前記制御棒グループ表示手段による制御棒グループの表示と前記制御棒位置表示手段による制御棒位置の表示とを切り換える表示切換手段とを備えたことを特徴とする制御棒操作シーケンス作成装置。
【請求項４】
前記制御棒操作シーケンスを編集する際に選択中の制御棒操作手順データにおける制御棒グループ表示あるいは制御棒位置表示の背景を色替え表示する背景色替え手段を備えたことを特徴とする請求項３記載の制御棒操作シーケンス作成装置。
【請求項５】
前記制御棒操作シーケンスを編集する際に選択中の制御棒操作手順データにおけるシーケンス順番号を表示するシーケンス順番号表示手段を備えたことを特徴とする請求項１乃至請求項４のいずれか１項記載の制御棒操作シーケンス作成装置。
【請求項６】
前記保存処理手段は、前記作成データ記憶部に保存された制御棒操作シーケンスの制御棒操作手順データに加え制御棒グループも取り出し、制御棒操作手順データ及び制御棒グループを制御棒操作シーケンスデータとしてデータ記憶装置に保存することを特徴とする請求項１乃至請求項５のいずれか１項記載の制御棒操作シーケンス作成装置。
【請求項７】
前記制御棒操作シーケンスを編集する際に制御棒操作シーケンス編集画面上で制御棒グループの編集を行う制御棒グループ編集手段を備えたことを特徴とする請求項１乃至請求項６のいずれか１項記載の制御棒操作シーケンス作成装置。
【請求項８】
前記制御棒制御装置へのダウンロード許可状態とする前に、選択中の制御棒操作シーケンスの内容を前記入出力装置に表示する制御棒操作シーケンス確認手段を備えたことを特徴とする請求項１乃至請求項７のいずれか１項記載の制御棒操作シーケンス作成装置。
【請求項９】
前記制御棒制御装置へのダウンロード許可状態とする際に、選択中の制御棒操作シーケンスに制御棒操作シーケンスが制御棒価値規制条件を満たすか否かの判定を行う制御棒価値規制条件判定手段を設け、制御棒操作シーケンスが制御棒価値規制条件を満たすときは前記ダウンロード許可処理手段はダウンロード許可状態にすることを特徴とする請求項１乃至請求項８のいずれか１項記載の制御棒操作シーケンス作成装置。
【請求項１０】
前記帳票出力手段は、前記制御棒操作シーケンスを帳票出力する際に、制御棒操作シーケンスの制御棒操作手順データに加え、制御棒グループも同時に印刷することを特徴とする請求項１乃至請求項９のいずれか１項記載の制御棒操作シーケンス作成装置。
【請求項１１】
前記制御棒操作シーケンスを帳票出力する際に、前記制御棒グループ数に応じて出力行数を調節する制御棒グループ数判定手段を備えたことを特徴とする請求項１０記載の制御棒操作シーケンス作成装置。
【請求項１２】
前記制御棒操作シーケンス編集手段による制御棒操作シーケンスを編集中に、編集箇所の文字または背景を色替えする編集箇所判定手段を備えたことを特徴とする請求項１乃至請求項１１のいずれか１項記載の制御棒操作シーケンス作成装置。
【発明の詳細な説明】
【技術分野】
【０００１】
本発明は、原子力発電プラントの制御棒の操作手順である制御棒操作シーケンスを作成する制御棒操作シーケンス作成装置に関する。
【背景技術】
【０００２】
原子力発電所では、原子炉の出力を制御する制御棒の操作は、ある制御棒にのみ中性子吸収量が偏ることのないように、つまり制御棒価値ＲＷＭ（Rod Worth Minimizer）が大きくなりすぎないように、常に原子炉全体でバランスのとれた制御棒パターンとするため、予め制御棒操作手順を作成しこれに基づいて操作を行う。
【０００３】
制御棒操作手順は、制御棒の操作順序と引抜き挿入位置と制御棒グループとを特定して制御棒操作シーケンスとして作成される。すなわち、制御棒をまとめた制御棒グループが編集され、その制御棒グループの位置と順序とを特定するデータ等を含む制御棒操作シーケンスデータがオペレータとの対話処理により順次部分的に作成される。この場合、オペレータはＲＷＭ規制条件を満たすように万全の注意力をもって制御棒操作シーケンスを作成することになるが、設定時の入力ミスなどによりＲＷＭ規制条件違反の制御棒操作シーケンスデータが設定されるおそれがある。
【０００４】
そこで、対話処理によって編集された制御棒操作シーケンスデータを一旦第１の制御棒操作シーケンスデータファイルへ保存し、第１の制御棒操作シーケンスデータファイルに保存された制御棒操作シーケンスデータがＲＷＭ規制条件を満たすか否かのチェックを行い、チェック結果が有効とのとき、作成された制御棒操作シーケンスデータを第２の制御棒操作シーケンスデータファイルへ保存し、第２の制御棒操作シーケンスデータファイルを用いて運転操作を行うようにした制御棒操作シーケンス作成装置がある（例えば、特許文献１参照）
【特許文献１】特開平１１−６４５６３号公報（図１）
【発明の開示】
【発明が解決しようとする課題】
【０００５】
ところが、従来の制御棒操作シーケンス作成装置では、制御棒操作シーケンスを作成する際に制御棒グループを直接的に確認できないので、使用中の制御棒グループの一覧を別途帳票出力して、帳票出力された制御棒グループを確認しながら制御棒操作シーケンスを作成していた。
【０００６】
また、制御棒操作シーケンスの作成中において制御棒位置を確認できないので、ある制御棒の操作前後における制御棒パターンを確認する際には、それぞれ別の画面を開く必要があり、そのため操作が頻雑であり運転員が制御棒操作シーケンス作成する際の負荷となっていた。
【０００７】
また、制御棒操作シーケンスを作成する際に、制御棒グループの編集が独立して可能であるため、制御棒操作シーケンスの作成中にその編集中の制御棒操作シーケンスで使用している制御棒グループが編集されてしまうと、制御棒グループと制御棒操作手順とに不一致が生じてしまう。そのため、制御棒グループと制御棒操作手順との不一致の確認については人間系によって判断する必要があった。
【０００８】
また、制御棒操作シーケンスを編集した後にデータ記憶装置へデータを保存する際には、制御棒操作シーケンスのＲＷＭ規制条件違反の有無を確認しているが、制御棒操作シーケンスを制御棒制御装置へダウンロード許可状態とする際には、制御棒操作シーケンス作成装置にて作成／保存されたファイルを無条件でダウンロード可能状態としているので、誤った制御棒操作シーケンスが制御棒制御装置にダウンロードされる可能性があった。
【０００９】
本発明の目的は、オペレータの負担を軽減させるとともに精度の高い制御棒操作シーケンスを得ることができる制御棒操作シーケンス作成装置を提供することである。
【課題を解決するための手段】
【００１０】
本発明に係わる制御棒操作シーケンス作成装置は、マンマシンインターフェイス機能を持ち編集する制御棒操作シーケンスを選択し表示する入出力装置と、前記入出力装置との対話で前記制御棒操作シーケンスを編集作成するとともに作成した制御棒操作シーケンスを制御棒操作手順データと制御棒グループデータとに区分して作成データ記憶部に保存する制御棒操作シーケンス編集手段と、前記作成データ記憶部に保存された制御棒操作シーケンスの制御棒操作手順データが制御棒価値規制条件を満たすときは制御棒操作シーケンスデータとしてデータ記憶装置に保存する保存処理手段と、前記入出力装置から制御棒制御装置へのダウンロード要求があったとき指定された制御棒操作シーケンスデータをダウンロード許可状態にし前記制御棒制御装置からのダウンロード要求指令により当該制御棒操作シーケンスデータを前記制御棒制御装置にダウンロードするダウンロード許可処理手段と、前記入出力装置からの印刷指令により編集中の制御棒操作シーケンスの制御棒操作手順データを帳票出力する帳票出力手段と、前記制御棒操作シーケンスを編集する際に制御棒操作手順データとともに選択中の制御棒操作手順データにおける制御棒グループデータを表示する制御棒グループ表示手段とを備えたことを特徴とする。
【発明の効果】
【００１１】
本発明によれば、制御棒操作シーケンスを編集する際に、制御棒操作手順と制御棒グループとを同時に表示し、選択中の制御棒操作手順における制御棒グループの表示を可能とするので、運転員の負荷を軽減することができ制御棒操作シーケンスの精度が向上する。
【発明を実施するための最良の形態】
【００１２】
図１は本発明の第１の実施の形態に係わる制御棒操作シーケンス作成装置１０のシステム構成図である。入出力装置１はマンマシンインターフェイス機能を持ち制御棒操作シーケンスを表示して編集するものであり、例えばキーボード付きＣＲＴ表示装置あるいは液晶表示装置のパソコン等である。運転員は、入出力装置１から編集する制御棒操作シーケンスを選択する。
【００１３】
制御棒操作シーケンス編集手段２は、入出力装置１で選択された制御棒操作シーケンスを作成データ記憶部１２に格納された制御棒操作手順データ３ａ及び制御棒グループデータ３ｂから読み込み、入出力装置１に表示するとともに入出力装置１を使用した順次対話操作によって制御棒操作シーケンスの編集や作成を行う。そして、編集作成した制御棒操作シーケンスを制御棒操作手順データ３ａと制御棒グループデータ３ｂとに区分して作成データ記憶部１２に保存する。
【００１４】
次に、運転員は、入出力装置１を使用して制御棒操作シーケンスの編集あるいは作成が完了したときは、制御棒操作シーケンスデータのデータ記憶装置１３への保存要求を行う。すなわち、制御棒操作シーケンス編集手段２は、入出力装置１から制御棒操作シーケンスデータ保存要求を入力すると保存処理手段６１を立ち上げる。保存処理手段６１は、制御棒操作シーケンス編集手段２から制御棒操作シーケンスデータ保存要求を受け取ると、作成データ記憶部１２から制御棒操作手順データ３ａを取り出し、取り出した制御棒操作手順データが制御棒価値規制条件を満たすか否かの判定を行い、制御棒操作手順データが制御棒価値規制条件を満たすときは制御棒操作シーケンスデータ４としてデータ記憶装置１３に保存する。
【００１５】
この制御棒価値規制条件は、「制御棒を操作するに当たって守るべきルール」であり、ある制御棒を操作する場合、その制御棒が属する制御棒グループの他の制御棒がどのような挿入位置にあるべきか、また、他の制御棒グループに属する制御棒がどのような挿入位置にあるべきかを制御棒グループ毎に定量的にまとめたものである。例えば、制御棒グループ番号１、２、３、４の場合の引抜き操作では、制御棒グループ５〜１０に属する制御棒は全挿入されていること、制御棒グループ７、８、９、１０の操作時には、それぞれの制御棒グループ内における操作可能な全制御棒のうち、最挿入制御棒と最引抜き制御棒の制御棒位置最大許容量差は８ステップ以下であることなどの多数のルールである。
【００１６】
次に、ダウンロード許可処理手段６は、入出力装置１からダウンロード許可要求手段５を介して制御棒制御装置８への制御棒操作シーケンスデータ４のダウンロード要求があったとき、指定された制御棒操作シーケンスデータ４をダウンロード許可状態にし、制御棒制御装置８からのダウンロード要求指令により当該制御棒操作シーケンスデータ４を制御棒制御装置８にダウンロードするものである。このダウンロードにより制御棒操作シーケンス作成装置１０から制御棒制御装置８に制御棒操作シーケンスデータ４を渡す。
【００１７】
すなわち、運転員は、制御棒操作シーケンスデータ４をダウンロード許可状態とするときは、入出力装置１からダウンロード許可状態とする制御棒操作シーケンスデータ４を選択する。入出力装置１は、入出力装置１上の選択状態を判定し、ダウンロード許可要求指令を作成し、その指令をダウンロード許可要求手段５に渡す。ダウンロード許可要求手段５は、入出力装置１からダウンロード許可要求指令を受け取ると、そのダウンロード許可要求指令と合わせて、ダウンロード許可状態とする制御棒操作シーケンス情報をダウンロード許可処理手段６に渡す。ダウンロード許可処理手段６は、ダウンロード許可要求手段５から渡されたダウンロード許可要求指令とダウンロード許可状態とする制御棒操作シーケンス情報に基づき、制御棒操作シーケンス４をダウンロード許可状態とする。
【００１８】
次に、運転員は、制御棒制御装置８にダウンロード許可状態にある制御棒操作シーケンスデータ４をダウンロードするとき制御棒制御装置８にてダウンロード要求を行う。制御棒制御装置８は、ダウンロード要求指令を作成し、その指令をダウンロード許可要求手段５に渡す。ダウンロード許可要求手段５は、制御棒制御装置８からダウンロード要求指令を受け取ると、そのダウンロード要求指令と合わせて、ダウンロード許可状態となっている制御棒操作シーケンスデータ４をダウンロード許可処理手段６に渡す。ダウンロード許可処理手段６は、ダウンロード許可要求手段５からダウンロード要求指令と制御棒操作シーケンスデータ４を受け取ると、制御棒操作シーケンスデータ４を制御棒制御装置８へダウンロードする。
【００１９】
帳票出力手段１０１は入出力装置１からの印刷指令により編集中の制御棒操作シーケンスの制御棒操作手順データ３ａを帳票出力するものである。運転員は、現在編集中の制御棒操作シーケンスの印刷を行いたい場合、入出力装置１上の印刷ボタンを選択する。入出力装置１は印刷ボタンの状態を判定し、制御棒操作シーケンスの印刷指令を作成し、その指令を帳票出力手段１０１に渡す。帳票出力手段１０１は、入出力装置１から制御棒操作シーケンスの印刷指令を受け取ると、その制御棒操作シーケンスの印刷指令に対応して、現在編集中の制御棒操作シーケンスの制御棒操作手順データ３ａを作成データ記憶部１２に保存された制御棒操作手順データ３ａもしくはデータ記憶装置１３に保存された制御棒操作シーケンスデータ４から入手する。そして、その入手した制御棒操作シーケンスの制御棒操作手順データ３ａを印刷装置１４にて帳票７に出力する。
【００２０】
また、制御棒グループ表示手段１１は制御棒操作シーケンスを編集する際に制御棒操作手順データ３ａとともに選択中の制御棒操作手順データ３ａにおける制御棒グループを表示するものである。すなわち、制御棒グループ表示手段１１は、現在選択し編集している制御棒操作シーケンスに対応する制御棒グループの情報を制御棒操作シーケンス編集手段２より入力し、その内容を入出力装置１の制御棒操作シーケンス編集画面上に表示する。
【００２１】
作成データ記憶部１２には、制御棒操作シーケンスデータが制御棒操作手順データ３ａと制御棒グループデータ３ｂとに分割されて記憶されており、制御棒操作シーケンス編集手段２は、編集作成された制御棒操作シーケンスデータを制御棒操作手順データ３ａと制御棒グループデータ３ｂへ分割して作成データ記憶部１２に記憶するとともに、表示する際には制御棒グループデータ３ｂを制御棒グループ表示手段１１へ渡す。制御棒グループ表示手段１１は制御棒操作シーケンス編集手段２から渡された制御棒グループデータを入出力装置１へ表示する。
【００２２】
図２は制御棒操作手順データ３ａの説明図である。図中のシーケンス順番号は、制御棒の操作順序を示しこの番号順に番号１から番号６０へ順次操作される。制御棒グループは、約２００本の制御棒の内で制御棒価値がほぼ等しいものをグループ化したものであり、同じ制御棒グループに属する制御棒は同じ動作をする。目標位置は制御棒が最終的に挿入される目標位置である。制御棒はこの制御棒操作手順データ３ａに従って操作される。
【００２３】
図３は、制御棒グループデータ３ｂの説明図であり、制御棒グループの配置を座標で示したものである。格子状の枠内の数字は制御棒グループ番号を示し、この番号は複数の枠内にあり同じ番号のものは同一の制御棒グループとなっている。
【００２４】
図４は第１の実施の形態における制御棒操作シーケンス編集画面の説明図であり、制御棒操作手順データとともに制御棒グループを表示した制御棒操作シーケンス編集画面１５の説明図である。制御棒操作シーケンス編集画面１５には制御棒操作手順データ３ａとともに制御棒グループデータ３ｂが表示されている。従って、制御棒操作シーケンスを作成する際に制御棒グループを直接的に確認できる。
【００２５】
本発明の第１の実施の形態によれば、制御棒操作シーケンスを編集する際に、制御棒操作手順と制御棒グループとを同時に表示するので、選択中の制御棒操作手順における制御棒グループの確認が容易にできる。従って、従来のように、制御棒操作シーケンスを作成するときに、使用中の制御棒グループ一覧を別途帳票出力し紙で用意しておくという人間系による煩雑な操作を解消できる。
【００２６】
図５は、本発明の第２の実施の形態に係わる制御棒操作シーケンス作成装置１０のシステム構成図である。この第２の実施の形態は図１に示した第１の実施の形態に対し、制御棒グループ表示手段１１に代えて制御棒位置表示手段２１及び制御棒位置作成手段２２を設けたものである。図１に示した第１の実施の形態と同一要素には同一符号を付し重複する説明は省略する。
【００２７】
制御棒位置作成手段２２は、制御棒操作シーケンス編集手段２より作成された制御棒操作手順データ３ａを入力し、現在選択し編集している制御棒操作シーケンスの中の選択している操作順番号に対応する制御棒位置の情報を作成するものである。制御棒位置表示手段２１は、制御棒位置作成手段２２から制御棒位置の情報を入力し、その内容を入出力装置１の制御棒操作シーケンス編集画面上に表示するものである。
【００２８】
次に、動作を説明する。運転員は入出力装置１から編集する制御棒操作シーケンスを選択する。制御棒操作シーケンス編集手段２は、入出力装置１で選択された制御棒操作シーケンスを作成データ記憶部１２から読み込み、入出力装置１に表示するとともに、入出力装置１を使用した順次対話操作によって制御棒操作シーケンスの編集や作成を行う。
【００２９】
その際、制御棒操作シーケンス編集手段２は、制御棒操作シーケンスデータを制御棒操作手順データ３ａと制御棒グループデータ３ｂへ分割し計算機内部のメモリである作成データ記憶部１２へ保管する。そして、制御棒操作シーケンス編集手段２は、作成データ記憶部１２の制御棒操作手順データ３ａ及び制御棒グループデータ３ｂと現在選択している操作順番号とを制御棒位置作成手段２２へ渡す。
【００３０】
制御棒位置作成手段２２は、制御棒操作シーケンス編集手段２から渡された制御棒操作手順データ３ａ及び制御棒グループデータ３ｂと現在選択している操作順番号とから対応する制御棒位置の情報を作成し、制御棒位置表示手段２１に渡す。制御棒位置表示手段２１は、制御棒位置作成手段２２から渡された制御棒位置の情報を入出力装置１へ表示する。
【００３１】
図６は本発明の第２の実施の形態における制御棒操作シーケンス編集画面の説明図であり、制御棒操作手順データ３ａとともに制御棒位置データ１６を表示した制御棒操作シーケンス編集画面１５の説明図である。従来表示していた制御棒操作シーケンス編集画面１５上に制御棒操作手順データ３ａに加えて制御棒位置データ１６を表示する。
【００３２】
制御棒操作シーケンスの作成中において制御棒位置を表示するので、制御棒の操作前後における制御棒パターンの確認が容易に行える。従って、運転員が制御棒操作シーケンス作成する際の負荷を軽減できる。
【００３３】
本発明の第２の実施の形態によれば、制御棒操作シーケンスを編集する際に、制御棒操作手順と制御棒位置を同時に表示するので、選択中の制御棒操作手順における制御棒位置の確認が容易にできる。従って、従来のように、ある制御棒の操作前後における制御棒パターンを確認するときに、それぞれ別の画面を開き制御棒位置を確認するという煩雑な操作を解消できる。
【００３４】
図７は、本発明の第３の実施の形態の制御棒操作シーケンス作成装置１０のシステム構成図である。この第３の実施の形態は図１に示した第１の実施の形態に対し、制御棒位置表示手段２１及び制御棒位置作成手段２２を追加して設け、制御棒グループ表示手段による制御棒グループデータの表示と制御棒位置表示手段２１による制御棒位置データの表示とを切り換えて表示するための表示切換手段３１を設けたものである。図１に示した第１の実施の形態と同一要素には同一符号を付し重複する説明は省略する。
【００３５】
制御棒グループ表示手段１１は制御棒操作シーケンスを編集する際に制御棒操作手順データ３ａとともに選択中の制御棒操作手順データ３ａにおける制御棒グループを表示する。すなわち、制御棒グループ表示手段１１は、現在選択し編集している制御棒操作シーケンスに対応する制御棒グループの情報を制御棒操作シーケンス編集手段２より入力し、その内容を入出力装置１の制御棒操作シーケンス編集画面上に表示する。
【００３６】
一方、制御棒位置作成手段２２は、制御棒操作シーケンス編集手段２より作成された制御棒操作手順データ３ａを入力し、現在選択し編集している制御棒操作シーケンスの中の選択している操作順番号に対応する制御棒位置の情報を作成する。制御棒位置表示手段２１は、制御棒位置作成手段２２から制御棒位置の情報を入力し、その内容を入出力装置１の制御棒操作シーケンス編集画面上に表示する。
【００３７】
表示切換手段３１は、入出力装置１で選択された制御棒グループ／制御棒位置の表示切換指令を制御棒操作シーケンス編集手段２より受け取り、表示切換指令が制御棒グループであれば制御棒グループ表示手段１１から制御棒グループデータを入力し、表示切換指令が制御棒位置であれば制御棒位置表示手段２１から制御棒位置データを入力し、その内容を入出力装置１の制御棒操作シーケンス編集画面上に表示する。
【００３８】
次に、動作を説明する。運転員は入出力装置１を使用した順次対話操作によって制御棒操作シーケンスの編集や作成を行う。その際に、制御棒操作シーケンス編集画面上に表示切換選択ボタン１７を表示して制御棒グループと制御棒位置との表示切り換えを行う。図８Ａは第３の実施の形態における制御棒グループ３ｂを選択した場合の制御棒操作シーケンス編集画面１５の説明図であり、図８Ｂは第３の実施の形態における制御棒位置データ１６を選択した場合の制御棒操作シーケンス編集画面１５の説明図である。図８Ａ、図８Ｂに示すように、制御棒操作シーケンス編集画面１５上に制御棒グループ／制御棒位置の表示切換選択ボタン１７を表示し、この表示切換選択ボタン１７により制御棒操作手順データ３ａと同時に制御棒グループ３ｂを表示するか、制御棒操作手順データ３ａと同時に制御棒位置データ１６を表示するかを選択する。
【００３９】
入出力装置１は、表示切換選択ボタン１７の状態を判定し、制御棒グループ／制御棒位置の表示切換指令を作成し、その指令を制御棒操作シーケンス編集手段２に渡す。制御棒操作シーケンス編集手段２は、入出力装置１から渡された制御棒グループ／制御棒位置の表示切換指令を表示切換手段３１に渡す。表示切換手段３１は、制御棒操作シーケンス編集手段２から渡された制御棒グループ／制御棒位置の表示切換指令に従い、表示切換指令が制御棒グループであれば制御棒グループ表示手段１１から制御棒グループ情報を入力し、表示切換指令が制御棒位置であれば制御棒位置表示手段２１から制御棒位置を入力し、その内容を入出力装置１の制御棒操作シーケンス編集画面上に表示する。
【００４０】
本発明の第３の実施の形態によれば、制御棒操作シーケンスを編集する際に、制御棒操作手順と同時に制御棒グループを表示するか、制御棒操作手順と同時に制御棒位置を表示するかを同一画面内で選択し切り換えることができるので、選択中の制御棒操作手順における制御棒グループ及び制御棒位置の確認が容易にできる。従って、従来のように、制御棒操作シーケンスを作成するときに、使用中の制御棒グループ一覧を紙で用意し、ある制御棒の操作前後における制御棒パターンをそれぞれ別の画面を開いて確認するという何段階にもわたる人間系の操作を介した煩雑な操作を解消できる。
【００４１】
図９は、本発明の第４の実施の形態の制御棒操作シーケンス作成装置１０のシステム構成図である。この第４の実施の形態は図７に示した第３の実施の形態に対し、制御棒操作シーケンスを編集する際に選択中の制御棒操作手順データにおける制御棒グループ表示あるいは制御棒位置表示の背景を色替え表示する背景色替え手段４１を設けたものである。図７に示した第３の実施の形態と同一要素には同一符号を付し重複する説明は省略する。
【００４２】
背景色替え手段４１は、制御棒操作シーケンス編集手段２より制御棒操作手順データ３ａ及び制御棒グループデータ３ｂ、現在編集中の制御棒操作手順データを入力し、現在選択し編集している制御棒操作シーケンスの中の選択している操作順番号に対応する制御棒グループまたは制御棒位置を判定する。その判定結果に従い、表示切換手段３１から入力する制御棒グループデータまたは制御棒位置データに対して、判定された制御棒に対応する表示場所の背景を色替えし、その内容を入出力装置１の制御棒操作シーケンス編集画面上に表示する。
【００４３】
次に、動作を説明する。運転員は、入出力装置１を使用した順次対話操作によって制御棒操作シーケンスの編集や作成を行う。その際、制御棒操作シーケンス編集手段２は、制御棒操作手順データ３ａ及び制御棒グループデータ３ｂと現在編集中の制御棒操作手順データとを背景色替え手段４１へ渡す。
【００４４】
背景色替え手段４１は、制御棒操作シーケンス編集手段２から渡された制御棒操作手順データ３ａ及び制御棒グループデータ３ｂと現在編集中の制御棒操作手順データとから、現在選択し編集している制御棒操作シーケンスの中の選択している操作順番号に対応する制御棒グループまたは制御棒位置を判定する。また、表示切換手段３１から入出力装置１に表示する制御棒グループデータまたは制御棒位置データを入力する。そして、背景色替え手段４１は、判定結果に従い、表示切換手段３１から入力した制御棒グループデータまたは制御棒位置データに対して、判定された制御棒に対応する表示場所の背景を色替えし、その内容を入出力装置１へ表示する。
【００４５】
図１０Ａは第４の実施の形態における制御棒グループ３ｂを選択した場合の制御棒操作シーケンス編集画面１５の説明図であり、図１０Ｂは第４の実施の形態における制御棒位置データ１６を選択した場合の制御棒操作シーケンス編集画面１５の説明図である。制御棒操作シーケンス編集画面１５上の制御棒グループデータ３ａまたは制御棒位置データ１６において、選択している操作順番号に対応する制御棒の背景を色替えして表示する。
【００４６】
本発明の第４の実施の形態によれば、制御棒操作シーケンスを編集する際に、現在選択し編集している制御棒操作シーケンスの中の選択している操作順番号に対応する制御棒の背景が色替えして表示されるため、現在選択している制御棒操作手順における制御棒操作の確認が容易にできる。従って、従来のように、制御棒操作シーケンスを作成するときに、使用中の制御棒グループ一覧を紙で用意し、現在選択している制御棒操作手順における制御棒操作の確認を予め用意した紙を見ながら行うという煩雑な操作を解消できる。
【００４７】
図１１は、本発明の第５の実施の形態の制御棒操作シーケンス作成装置１０のシステム構成図である。この第５の実施の形態は図７に示した第３の実施の形態に対し、制御棒操作シーケンスを編集する際に選択中の制御棒操作手順データにおけるシーケンス順番号を表示するシーケンス順番号表示手段５１を設けたものである。図７に示した第３の実施の形態と同一要素には同一符号を付し重複する説明は省略する。
【００４８】
シーケンス順番号表示手段５１は、制御棒操作シーケンス編集手段２から現在編集中の制御棒操作手順データを入力し、現在編集中の制御棒操作手順位置でのシーケンス順番号を算出し、その内容を入出力装置１の制御棒操作シーケンス編集画面上に表示する。
【００４９】
次に、動作を説明する。運転員は、入出力装置１を使用した順次対話操作によって制御棒操作シーケンスの編集や作成を行う。その際、制御棒操作シーケンス編集手段２は、現在編集中の制御棒操作手順データをシーケンス順番号表示手段５１へ渡す。シーケンス順番号表示手段５１は、制御棒操作シーケンス編集手段２から渡された現在編集中の制御棒操作手順データから現在編集中の制御棒操作手順位置でのシーケンス順番号を算出し入出力装置１へ表示する。
【００５０】
図１２は本発明の第５の実施の形態における制御棒操作シーケンス編集画面１５の説明図である。制御棒操作シーケンス編集画面１５上に制御棒グループ３ｂまたは制御棒位置１６と同時にシーケンス順番号１８を表示する。ここでのシーケンス順番号１８は図２に示したシーケンス順番号である。
【００５１】
本発明の第５の実施の形態によれば、制御棒操作シーケンスを編集する際に、制御棒操作手順を入力しながら、現在編集中の制御棒操作手順位置におけるシーケンス順番号を確認できる。従って、従来のように、運転員が画面上を手で辿りながら、シーケンス順番号を数えていたという煩雑な操作を解消できる。
【００５２】
図１３は、本発明の第６の実施の形態の制御棒操作シーケンス作成装置１０のシステム構成図である。この第６の実施の形態は図７に示した第３の実施の形態に対し、保存処理手段６１Ａは、作成データ記憶部１２に保存された制御棒操作シーケンスの制御棒操作手順データ３ａに加え制御棒グループ３ｂも取り出し、制御棒操作手順データ３ａ及び制御棒グループ３ｂを制御棒操作シーケンスデータ４としてデータ記憶装置４に保存するようにしたものである。図７に示した第３の実施の形態と同一要素には同一符号を付し重複する説明は省略する。
【００５３】
保存処理手段６１Ａは、制御棒操作シーケンス編集手段２にて計算機内部のメモリである作成データ記憶部１２へ分割して保管された制御棒操作手順データ３ａ及び制御棒グループデータ３ｂを合成し、制御棒操作シーケンスデータ４としてデータ記憶装置１３に保存するものである。
【００５４】
次に、動作を説明する。運転員は、入出力装置１を使用した制御棒操作シーケンスの編集作業を終わるときに制御棒操作シーケンスデータの保存要求を行う。制御棒操作シーケンス編集手段２は、入出力装置１から制御棒操作シーケンスデータ保存要求を入力すると、その保存要求を保存処理手段６１Ａに渡す。保存処理手段６１Ａは、制御棒操作シーケンス編集手段２から制御棒操作シーケンスデータ保存要求を受け取ると、制御棒操作手順データ３ａと制御棒グループデータ３ｂとを合成し、一組のデータとして制御棒操作シーケンスデータ４に保存する。
【００５５】
本発明の第６の実施の形態によれば、制御棒操作シーケンスを保存する際に、制御棒操作手順データと制御棒グループデータとを同時に一組のデータをして保存するため、制御棒操作シーケンス毎に制御棒グループが管理できるようになり、また、個別に編集することも可能となる。従って、制御棒操作シーケンス作成時点の制御棒グループと、制御棒操作シーケンス作成後に変更された制御棒グループとの制御棒の操作内容に不一致が生ずるという問題を解消できる。
【００５６】
図１４は、本発明の第７の実施の形態の制御棒操作シーケンス作成装置１０のシステム構成図である。この第７の実施の形態は図７に示した第３の実施の形態に対し、制御棒操作シーケンスを編集する際に制御棒操作シーケンス編集画面上で制御棒グループの編集を行う制御棒グループ編集手段７１を設けたものである。図７に示した第３の実施の形態と同一要素には同一符号を付し重複する説明は省略する。
【００５７】
制御棒グループ編集手段７１は、入出力装置１で選択された制御棒グループ編集指令及び現在編集中の制御棒操作シーケンスに対応する制御棒グループデータを制御棒操作シーケンス編集手段２より受け取り、入出力装置１に制御棒グループ編集画面を表示する。そして、入出力装置１と連携した順次対話操作によって制御棒グループデータの編集や作成を行う。
【００５８】
次に、動作を説明する。運転員は、入出力装置１を使用した順次対話操作によって制御棒操作シーケンスの編集や作成を行う。その際に、制御棒操作シーケンス編集画面上に制御棒グループ編集ボタンを表示して制御棒グループの編集を行う制御棒グループ編集画面との切り換えを行う。
【００５９】
図１５は本発明の第７の実施の形態における制御棒操作シーケンス編集画面の説明図である。図１５に示すように、制御棒操作シーケンス編集画面１５上に制御棒グループ編集ボタン１９を表示し、制御棒グループ編集ボタン１９を選択することにより、現在編集中の制御棒操作シーケンスに対応する制御棒グループの編集を行う。
【００６０】
入出力装置１は、制御棒グループ編集ボタン１９の状態を判定し、制御棒グループ編集ボタン１９が選択されたときは制御棒グループ編集指令を作成し、その指令を制御棒操作シーケンス編集手段２に渡す。制御棒操作シーケンス編集手段２は、入出力装置１から制御棒グループ編集指令を受け取ると、その制御棒グループ編集指令と合わせて、現在編集中の制御棒操作シーケンスに対応する制御棒グループデータを制御棒グループ編集手段７１に渡す。
【００６１】
制御棒グループ編集手段７１は、制御棒操作シーケンス編集手段２から制御棒グループ編集指令と現在編集中の制御棒操作シーケンスに対応する制御棒グループデータとを受け取ると、受け取った制御棒グループデータに基づき、入出力装置１上に制御棒グループ編集画面を表示するとともに、入出力装置１を使用した順次対話操作によって制御棒グループの編集作成を行う。その際、制御棒グループ編集手段７１は、編集が完了した制御棒グループ情報を新しい制御棒グループデータとして、制御棒操作シーケンス編集手段２に渡す。
【００６２】
図１６は本発明の第７の実施の形態における制御棒グループ編集画面２０の説明図である。制御棒グループ編集手段７１の機能として、制御棒１本づつグループを入力する方法と、その他に、１／８対称、１／４鏡面対称、１／４回転対象に展開した入力方法を備えたものが考えられる。図１６では、これらの方法を選択できるようにしている。
【００６３】
本発明の第７の実施の形態によれば、制御棒操作シーケンス毎に管理している制御棒グループに対して、制御棒操作シーケンスを編集しているとき、それぞれの制御棒グループを編集することが可能となる。従って、従来のように、制御棒グループを編集したい場合に、一度制御棒操作シーケンス編集画面を終了させてから制御棒グループ編集画面を表示し、制御棒グループの編集を行うという煩雑な操作を解消できる。
【００６４】
図１７は、本発明の第８の実施の形態の制御棒操作シーケンス作成装置１０のシステム構成図である。この第８の実施の形態は図７に示した第３の実施の形態に対し、制御棒制御装置８へのダウンロード許可状態とする前に、選択中の制御棒操作シーケンスの内容を入出力装置１に表示する制御棒操作シーケンス確認手段８１を設けたものである。図７に示した第３の実施の形態と同一要素には同一符号を付し重複する説明は省略する。
【００６５】
運転員は、入出力装置１からダウンロード許可状態とする制御棒操作シーケンスデータ４を選択するにあたり、図１８に示す制御棒操作シーケンス送信画面２３を入力装置１に表示する。そして、制御棒操作シーケンス送信画面２３のシーケンス確認ボタン２４を選択することにより、ダウンロード許可状態とする制御棒操作シーケンスデータ４の確認を行う。
【００６６】
入力装置１は、シーケンス確認ボタン２４の状態を判定し、シーケンス確認指令を作成し、その指令をダウンロード許可要求手段５に渡す。ダウンロード許可要求手段５は、入出力装置１からシーケンス確認指令を受け取ると、そのシーケンス確認指令と合わせて、ダウンロード許可状態とする制御棒操作シーケンスの番号を制御棒操作シーケンス確認手段８１に渡す。制御棒操作シーケンス確認手段８１は、ダウンロード許可要求手段５からシーケンス確認指令とダウンロード許可状態とする制御棒操作シーケンスの番号を受け取ると、受け取った制御棒操作シーケンスの番号に対応する制御棒操作シーケンス情報を制御棒操作シーケンスデータ４より入手し、その内容を入出力装置１へ表示する。図１９に制御棒操作シーケンス確認画面２５の一例を示す。
【００６７】
このように、制御棒操作シーケンス確認手段８１は、ダウンロード許可要求手段５からシーケンス確認指令と入出力装置１で選択された制御棒操作シーケンスの番号を受け取ると、その番号に対応する制御棒操作シーケンスを制御棒操作シーケンスデータ４から読み込み、その内容を入出力装置１上の制御棒操作シーケンス確認画面２５上に表示する。
【００６８】
ここで、ダウンロードとは、制御棒操作シーケンス作成装置から制御棒制御装置８に制御棒操作シーケンスデータ４を渡す操作であり、運転員は、入出力装置１上の制御棒操作シーケンス送信画面２３を使用した順次対話操作によって、制御棒操作シーケンスのダウンロードを許可するためのダウンロード許可要求を行い、ダウンロードを行う制御棒操作シーケンスデータ４の状態をダウンロード許可状態とする。なお、制御棒操作シーケンス送信画面２３を介して入力された信号に対してのダウンロード許可要求手段５の機能としては、制御棒操作シーケンスの選択を行う機能とダウンロード許可要求をする機能、送信を行う機能を有する。
【００６９】
第８の実施の形態によれば、制御棒制御装置８に制御棒操作シーケンスをダウンロードする前に、制御棒操作シーケンスのダウンロード許可要求を行う制御棒操作シーケンス送信画面上から、ダウンロード許可状態とする制御棒操作シーケンスを確認することが可能となる。従って、従来のように、制御棒操作シーケンスのダウンロード許可要求を行う際には、一度、制御棒操作シーケンス送信画面を終了させてから、制御棒操作シーケンス表示画面を開かなければならなかったという煩雑な操作を解消できる。
【００７０】
図２０は、本発明の第９の実施の形態の制御棒操作シーケンス作成装置１０のシステム構成図である。この第９の実施の形態は図１７に示した第８の実施の形態に対し、重複した操作であるかどうかを判定する同一操作確認手段と、制御棒操作シーケンスが制御棒価値規制条件を満たすか否かの判定を行う制御棒価値規制条件判定手段９２とを設け、重複した操作でなく、しかも制御棒操作シーケンスが制御棒価値規制条件を満たすときはダウンロード許可処理手段６はダウンロード許可状態にするようにしたものである。図７に示した第３の実施の形態と同一要素には同一符号を付し重複する説明は省略する。
【００７１】
同一操作確認手段９１は、ダウンロード許可要求手段５からダウンロード許可要求指令とダウンロード許可状態とする制御棒操作シーケンスを入力し、入力した制御棒操作手順の中に同じ操作を２度行っているものが無いかどうかを判定し、判定結果を入出力装置１に表示するものである。制御棒価値規制条件判定手段９２は、同一操作確認手段９１からダウンロード許可要求指令とダウンロード許可状態とする制御棒操作シーケンスとを入力し、入力した制御棒操作シーケンスが制御棒価値規制条件に逸脱しないかどうかを判断し、その判断結果を入出力装置１に表示するものである。
【００７２】
次に、動作を説明する。運転員は、入出力装置１からダウンロード許可状態とする制御棒操作シーケンスデータ４を選択する。入出力装置１からダウンロード許可状態とする制御棒操作シーケンスデータ４を選択するにあたり、図１８に示す制御棒操作シーケンス送信画面２３を入力装置１に表示する。そして、制御棒操作シーケンス送信画面２３の送信ボタンを選択することにより、ダウンロード許可状態とする制御棒操作シーケンスデータ４のダウンロード許可要求を行う。入出力装置１は、送信ボタンの状態を判定し、送信ボタンが選択されているときはダウンロード許可要求指令を作成し、その指令をダウンロード許可要求手段５に渡す。
【００７３】
ダウンロード許可要求手段５は、入出力装置１からダウンロード許可要求指令を受け取ると、そのダウンロード許可要求指令と合わせて、ダウンロード許可状態とする制御棒操作シーケンスを同一操作確認手段９１に渡す。同一操作確認手段９１は、ダウンロード許可要求手段５からダウンロード許可要求指令とダウンロード許可状態とする制御棒操作シーケンスとを受け取ると、受け取った制御棒操作シーケンスに対して、制御棒操作手順に同じ操作を２度以上繰り返している操作がないかを判定し、その判定結果を入出力装置１に表示する。そして、制御棒操作手順に同じ操作を２度以上繰り返していない場合は、ダウンロード許可要求手段５から受け取ったダウンロード許可要求指令とダウンロード許可状態とする制御棒操作シーケンスとを制御棒価値規制条件判定手段９２に渡す。
【００７４】
制御棒価値規制条件判定手段９２は、同一操作確認手段９１からダウンロード許可要求指令とダウンロード許可状態とする制御棒操作シーケンスとを渡されると、受け取った制御棒操作手順が制御棒価値規制条件に逸脱しないかどうかを判断し、その判断した結果を入出力装置１に表示する。そして、制御棒操作手順が制御棒価値規制条件に逸脱していない場合は、同一操作確認手段９１から受け取ったダウンロード許可要求指令とダウンロード許可状態とする制御棒操作シーケンスとをダウンロード許可処理手段６に渡す。
【００７５】
ダウンロード許可処理手段６は、制御棒価値規制条件判定手段９２から渡されたダウンロード許可要求指令とダウンロード許可状態とする制御棒操作シーケンスとに基づき、制御棒操作シーケンス４をダウンロード許可状態とする。
【００７６】
本発明の第９の実施の形態によれば、制御棒制御装置８に制御棒操作シーケンスをダウンロードする前に、ダウンロード許可状態とする制御棒操作シーケンスについて、同一操作が無いこと及び制御棒価値規制条件に逸脱しないことを確認することができる。従って、従来は制御棒操作シーケンスを作成し保存するときにのみ実施していた制御棒操作シーケンスが制御棒価値規制条件に逸脱していないかを判断する処理を制御棒操作シーケンスのダウンロード許可要求を行う際に行い、また、従来は判定処理を実施していなかった同一操作の有無の判定を行うことにより、運転員の作業ミスの防止を図ることができる。
【００７７】
図２１は、本発明の第１０の実施の形態の制御棒操作シーケンス作成装置１０のシステム構成図である。この第１０の実施の形態は図７に示した第３の実施の形態に対し、帳票出力手段１０１Ａは、制御棒操作シーケンスを帳票出力する際に、制御棒操作シーケンスの制御棒操作手順データ３ａに加え制御棒グループ３ｂも同時に印刷するようにしたものである。図７に示した第３の実施の形態と同一要素には同一符号を付し重複する説明は省略する。
【００７８】
帳票出力手段１０１Ａは、入出力装置１からの要求により編集中の制御棒操作手順データ３ａ及び制御棒グループデータ３ｂもしくはデータ記憶装置１３に保存された制御棒操作シーケンスデータ４を印刷装置１４にて帳票７として出力するものである。
【００７９】
次に、動作を説明する。運転員は、入出力装置１を使用した順次対話操作によって、制御棒操作シーケンスの編集や作成を行う。その際、図２２に示す制御棒操作シーケンス編集画面１５を入出力装置１に表示し、制御棒操作シーケンス編集画面１５の印刷ボタン２６を選択することにより、現在編集中の制御棒操作シーケンスを印刷装置１４により帳票７として出力を行う。入出力装置１は印刷ボタン２６の状態を判定し、印刷簿欄２６が選択されたときは制御棒操作シーケンス印刷指令を作成し、その指令を帳票出力手段１０１Ａに渡す。
【００８０】
帳票出力手段１０１Ａは、入出力装置１から制御棒操作シーケンス印刷指令を受け取ると、その制御棒操作シーケンス印刷指令に対応して、現在編集中の制御棒操作シーケンスの情報を制御棒操作手順データ３ａまたは制御棒グループデータ３ｂもしくはデータ記憶装置に保存された制御棒操作シーケンスデータ４から入手する。そして、その入手した制御棒操作シーケンス情報を帳票７に出力する。その際、帳票出力対象となっている制御棒操作シーケンスの制御棒グループも同時に帳票出力する。
【００８１】
本発明の第１０の実施の形態によれば、現在編集中の制御棒操作シーケンスの帳票出力が即座に行えるとともに、その制御棒操作シーケンスの制御棒グループも一緒に帳票出力することが可能となる。従って、従来のように、制御棒グループを帳票出力したい場合、一度制御棒操作シーケンス編集画面を終了させてから制御棒グループ表示画面を表示し、制御棒グループの帳票出力を行っていたという煩雑な操作を解消できる。
【００８２】
図２３は、本発明の第１１の実施の形態の制御棒操作シーケンス作成装置１０のシステム構成図である。この第１１の実施の形態は図２１に示した第１０の実施の形態に対し、制御棒操作シーケンスを帳票出力する際に制御棒グループ数に応じて出力行数を調節する制御棒グループ数判定手段を設けたものである。図２１に示した第１０の実施の形態と同一要素には同一符号を付し重複する説明は省略する。
【００８３】
制御棒グループ数判定手段１１１は、入出力装置１からの要求により編集中の制御棒操作手順データ３ａ及び制御棒グループデータ３ｂもしくはデータ記憶装置１３に保存された制御棒操作シーケンスデータ４を帳票７へ出力する際に、制御棒グループの数に応じて帳票の出力行数を調整するものである。
【００８４】
次に、動作を説明する。運転員は、入出力装置１を使用した順次対話操作によって制御棒操作シーケンスの編集や作成及び印刷を行う。帳票出力手段１０１Ａは、入出力装置１から制御棒操作シーケンス印刷指令を受け取ると、その制御棒操作シーケンス印刷指令に対応して、現在編集中の制御棒操作シーケンスの情報を作成データ記憶部１２の制御棒操作手順データ３ａ及び制御棒グループデータ３ｂもしくはデータ記憶装置１３に保存された制御棒操作シーケンスデータ４から入手する。そして、その入手した制御棒操作シーケンス情報を制御棒グループ数判定手段１１１に渡す。制御棒グループ数判定手段１１１は、帳票出力手段１０１Ａから渡された現在編集中の制御棒操作シーケンスの情報の制御棒グループ数を判定し、その制御棒グループ数に応じた帳票の行数を決定する。そして、決定した帳票の行数の制御棒操作シーケンス情報を帳票７に出力する。
【００８５】
本発明の第１１の実施の形態によれば、現在編集中の制御棒操作シーケンスの制御棒グループ数に応じた制御棒操作シーケンスの帳票出力が可能となる。従って、従来のように、固定の行数で帳票出力していた場合と比較し、帳票出力する制御棒操作シーケンスのグループ数に応じて制御棒操作シーケンスの帳票出力の行数を調整可能とすることにより、制御棒操作シーケンスの視認性が格段に向上する。
【００８６】
図２４は、本発明の第１２の実施の形態の制御棒操作シーケンス作成装置１０のシステム構成図である。この第１２の実施の形態は図７に示した第３の実施の形態に対し、制御棒操作シーケンス編集手段２による制御棒操作シーケンスを編集中に、編集箇所の文字または背景を色替えする編集箇所判定手段１２１を設けたものである。図７に示した第３の実施の形態と同一要素には同一符号を付し重複する説明は省略する。
【００８７】
編集箇所判定手段１２１は、制御棒操作シーケンス編集手段２にて編集中の制御棒操作シーケンスから変更された個所を判定し、変更箇所の背景や文字の色を通常表示とは異なる色で入出力装置１へ表示するものである。
【００８８】
次に、動作を説明する。運転員は、入出力装置１を使用した順次対話操作によって制御棒操作シーケンスの編集や作成を行う。制御棒操作シーケンス編集手段２は、入出力装置１で選択された制御棒操作シーケンスを作成データ記憶部１２から読み込み、その制御棒操作シーケンス情報を編集箇所判定手段１２１に渡す。編集箇所判定手段１２１は、制御棒操作シーケンス編集手段２から渡された制御棒操作シーケンス情報に基づき編集中の制御棒操作シーケンスから変更された個所を判定し、変更箇所の背景や文字の色を通常表示とは異なる色で入出力装置１へ表示する。
【００８９】
図２５は、本発明の第１０の実施の形態における制御棒操作シーケンス編集画面の説明図であり、従来表示していた制御棒操作シーケンス編集画面上に編集中の制御棒操作シーケンスから変更された個所２７の背景や文字の色を通常表示とは異なる色で表示する。
【００９０】
本発明の第１２の実施の形態によれば、編集中の制御棒操作シーケンスから変更された個所の背景、文字の色を通常表示とは異なる色で表示することが可能となる。従って、従来のように、制御棒操作シーケンスを編集した場合、編集中の制御棒操作シーケンスから変更された個所がわからなくなり、運転員が作業ミスを起こすという問題を解消できる。
【図面の簡単な説明】
【００９１】
【図１】本発明の第１の実施の形態に係わる制御棒操作シーケンス作成装置のシステム構成図。
【図２】制御棒操作手順データの説明図。
【図３】制御棒グループデータの説明図。
【図４】本発明の第１の実施の形態における制御棒操作シーケンス編集画面の説明図。
【図５】本発明の第２の実施の形態に係わる制御棒操作シーケンス作成装置のシステム構成図。
【図６】本発明の第２の実施の形態における制御棒操作シーケンス編集画面の説明図。
【図７】本発明の第３の実施の形態の制御棒操作シーケンス作成装置のシステム構成図。
【図８Ａ】本発明の第３の実施の形態における制御棒グループを選択した場合の制御棒操作シーケンス編集画面の説明図。
【図８Ｂ】本発明の第３の実施の形態における制御棒位置データを選択した場合の制御棒操作シーケンス編集画面の説明図。
【図９】本発明の第４の実施の形態の制御棒操作シーケンス作成装置のシステム構成図。
【図１０Ａ】本発明の第４の実施の形態における制御棒グループを選択した場合の制御棒操作シーケンス編集画面の説明図。
【図１０Ｂ】本発明の第４の実施の形態における制御棒位置データを選択した場合の制御棒操作シーケンス編集画面の説明図。
【図１１】本発明の第５の実施の形態の制御棒操作シーケンス作成装置のシステム構成図。
【図１２】本発明の第５の実施の形態における制御棒操作シーケンス編集画面の説明図。
【図１３】本発明の第６の実施の形態の制御棒操作シーケンス作成装置のシステム構成図。
【図１４】本発明の第７の実施の形態の制御棒操作シーケンス作成装置のシステム構成図。
【図１５】本発明の第７の実施の形態における制御棒操作シーケンス編集画面の説明図。
【図１６】本発明の第７の実施の形態における制御棒グループ編集画面の説明図。
【図１７】本発明の第８の実施の形態の制御棒操作シーケンス作成装置のシステム構成図。
【図１８】本発明の第８の実施の形態における制御棒操作シーケンス送信画面の説明図。
【図１９】本発明の第８の実施の形態における制御棒操作シーケンス確認画面の説明図。
【図２０】本発明の第９の実施の形態の制御棒操作シーケンス作成装置のシステム構成図。
【図２１】本発明の第１０の実施の形態の制御棒操作シーケンス作成装置のシステム構成図。
【図２２】本発明の第１０の実施の形態における制御棒操作シーケンス編集画面の説明図。
【図２３】本発明の第１１の実施の形態の制御棒操作シーケンス作成装置のシステム構成図。
【図２４】本発明の第１２の実施の形態の制御棒操作シーケンス作成装置のシステム構成図。
【図２５】本発明の第１２の実施の形態における制御棒操作シーケンス編集画面の説明図。
【符号の説明】
【００９２】
１…入出力装置、２…制御棒操作シーケンス編集手段、３ａ…制御棒操作手順データ、３ｂ…制御棒グループデータ、４…制御棒操作シーケンスデータ、５…ダウンロード許可要求手段、６…ダウンロード許可処理手段、７…帳票、８…制御棒制御装置、１０…制御棒操作シーケンス作成装置、１１…制御棒グループ表示手段、１２…作成データ記憶部、１３…データ記憶装置、１４…印刷装置、１５…制御棒操作シーケンス編集画面、１６…制御棒位置データ、１７…表示切換選択ボタン、１８…シーケンス順番号、１９…制御棒グループ編集ボタン、２０…制御棒グループ編集画面、２１…制御棒位置表示手段、２２…制御棒位置作成手段、２３…制御棒操作シーケンス送信画面、２４…シーケンス確認ボタン、２５…制御棒操作シーケンス確認画面、２６…印刷ボタン、２７…変更箇所、３１…表示切換手段、４１…背景色替え手段、５１…シーケンス順番号表示手段、６１…保存処理手段、７１…制御棒グループ編集手段、８１…制御棒操作シーケンス確認手段、９１…同一操作確認手段、９２…制御棒価値規制条件判定手段、１０１…帳票出力手段、１１１…制御棒グループ数判定手段、１２１…編集箇所判定手段
【図１】
2005233713.tif 000003
【図２】
2005233713.tif 000004
【図３】
2005233713.tif 000005
【図４】
2005233713.tif 000006
【図５】
2005233713.tif 000007
【図６】
2005233713.tif 000008
【図７】
2005233713.tif 000009
【図８Ａ】
2005233713.tif 000010
【図８Ｂ】
2005233713.tif 000011
【図９】
2005233713.tif 000012
【図１０Ａ】
2005233713.tif 000013
【図１０Ｂ】
2005233713.tif 000014
【図１１】
2005233713.tif 000015
【図１２】
2005233713.tif 000016
【図１３】
2005233713.tif 000017
【図１４】
2005233713.tif 000018
【図１５】
2005233713.tif 000019
【図１６】
2005233713.tif 000020
【図１７】
2005233713.tif 000021
【図１８】
2005233713.tif 000022
【図１９】
2005233713.tif 000023
【図２０】
2005233713.tif 000024
【図２１】
2005233713.tif 000025
【図２２】
2005233713.tif 000026
【図２３】
2005233713.tif 000027
【図２４】
2005233713.tif 000028
【図２５】
2005233713.tif 000029